(57)【要約】【課題】  各個人の使用中の卓球用ラケットに取り付けて、実技形式での卓球のトレーニングをすることのできる卓球のトレーニング用ウエイトを提供する。【解決手段】  ラケット２の打球部３の一側面のグリップ４側に接当させて配置されるウエイト本体８と、このウエイト本体８に前記打球部３の幅Ｗよりも狭い間隔Ｌで設けられていて打球部３の外周面３ａにグリップ４側から接当させることでウエイト本体８の位置決めをする一対の位置決め部９と、打球部３の他側面に接当してウエイト本体８の打球部３からの離反を阻止する抑え部材１０とを備え、前記抑え部材１０は打球部３の他側面から退避可能とされていて、該抑え部材１０を打球部３の他側面から退避させることによりウエイト本体８を取り外し可能とする。【選択図】図１
2006320665.tif 000002
【特許請求の範囲】
【請求項１】
卓球用ラケット（２）に取り付けられる卓球のトレーニング用ウエイトであって、
前記ラケット（２）の打球部（３）の一側面のグリップ（４）側に接当させて配置されるウエイト本体（８）と、このウエイト本体（８）に前記打球部（３）の幅（Ｗ）よりも狭い間隔（Ｌ）で設けられていて打球部（３）の外周面（３ａ）にグリップ（４）側から接当させることでウエイト本体（８）の位置決めをする一対の位置決め部（９）と、打球部（３）の他側面に接当してウエイト本体（８）の打球部（３）からの離反を阻止する抑え部材（１０）とを備え、前記抑え部材（１０）は打球部（３）の他側面から退避可能とされていて、該抑え部材（１０）を打球部（３）の他側面から退避させることによりウエイト本体（８）が取り外し可能とされていることを特徴とする卓球のトレーニング用ウエイト。
【請求項２】
ウエイト本体（８）のラケット幅方向（Ｘ）の両側に、打球部（３）の外周面（３ａ）に対向するように配置されていて打球部（３）の厚さ方向（Ｙ）の軸心を有する取付軸（１２）を設け、抑え部材（１０）は、取付軸（１２）に直交する枢軸（２６）によって取付軸（１２）に回動自在に支持されていて、抑え部材（１０）は前記枢軸（２６）回りに回動することで打球部（３）の他側面に接当する抑え姿勢と打球部（３）の他側面から退避する退避姿勢とに姿勢変更自在とされていることを特徴とする請求項１に記載の卓球のトレーニング用ウエイト。
【請求項３】
各取付軸（１２）は、その外周面に設けられた雄ネジ部（１８）をウエイト本体（８）に設けられたネジ孔（１６）に螺合させることによりウエイト本体（８）に軸心方向進退自在に支持され、この取付軸（１２）をウエイト本体（８）に固定すべく前記雄ネジ部（１８）に螺合される止めナット（１３）を備えていることを特徴とする請求項２に記載の卓球のトレーニング用ウエイト。
【請求項４】
各抑え部材（１０）は打球部（３）の他側面に接当する抑え壁（２４）を備え、この抑え壁（２４）の厚さ方向（Ｅ）両側の面が打球部（３）の他側面に接当する接当面（３２，３３）とされ、該抑え壁（２４）の厚さ方向（Ｅ）に直交し且つ枢軸（２６）の軸心を通る仮想面（Ａ）から、一方の接当面（３２）までの距離と他方の接当面（３３）までの距離とで寸法が異なることを特徴とする請求項２又は３に記載の卓球のトレーニング用ウエイト。
【請求項５】
各取付軸（１２）の、抑え部材（１０）とウエイト本体（８）との間に、位置決め部（９）を軸心方向移動自在に支持し、この位置決め部（９）とウエイト本体（８）との間に、位置決め部（９）を介して抑え部材（１０）を打球部（３）に接当させる方向に付勢する付勢部材（３０）を介装したことを特徴とする請求項２〜４のいずれかに記載の卓球のトレーニング用ウエイト。
【発明の詳細な説明】
【技術分野】
【０００１】  本発明は、卓球用ラケットに取り付けて卓球のトレーニングをするためのウエイトに関するものである。
【背景技術】
【０００２】  従来、負荷をかけた実技形式での卓球のトレーニングをするための用具として、アルミ素材を卓球用ラケットの形状に形成し、打球面に卓球用ゴムラバーを貼り付けてなる卓球用ラケット形ダンベルがある（特許文献１参照）。
【特許文献１】実用新案登録第３０８９７５５号公報
【発明の開示】
【発明が解決しようとする課題】
【０００３】  前記従来の卓球のトレーニング用の用具は、トレーニング専用のラケットであって、使い慣れた各個人のラケットで、負荷をかけた実技形式でのトレーニングをするということができないという欠点がある。
そこで、本発明は、前記問題点に鑑みて、現在使用している各個人のラケットに着脱自在に取り付けて、素振りはもちろん、実際に球を打ち合う実技的（筋力、打球ポイント、フォーム等）な新しい従来にないトレーニング方法を提供することのできる卓球のトレーニング用ウエイトを提供することを目的とする。
【課題を解決するための手段】
【０００４】  前記技術的課題を解決するために本発明が講じた技術的手段は、卓球用ラケットに取り付けられる卓球のトレーニング用ウエイトであって、
前記ラケットの打球部の一側面のグリップ側に接当させて配置されるウエイト本体と、このウエイト本体に前記打球部の幅よりも狭い間隔で設けられていて打球部の外周面にグリップ側から接当させることでウエイト本体の位置決めをする一対の位置決め部と、打球部の他側面に接当してウエイト本体の打球部からの離反を阻止する抑え部材とを備え、前記抑え部材は打球部の他側面から退避可能とされていて、該抑え部材を打球部の他側面から退避させることによりウエイト本体が取り外し可能とされていることを特徴とする。【０００５】  また、ウエイト本体のラケット幅方向の両側に、打球部の外周面に対向するように配置されていて打球部の厚さ方向の軸心を有する取付軸を設け、抑え部材は、取付軸に直交する枢軸によって取付軸に回動自在に支持されていて、抑え部材は前記枢軸回りに回動することで打球部の他側面に接当する抑え姿勢と打球部の他側面から退避する退避姿勢とに姿勢変更自在とされているのがよい。【０００６】  また、各取付軸は、その外周面に設けられた雄ネジ部をウエイト本体に設けられたネジ孔に螺合させることによりウエイト本体に軸心方向進退自在に支持され、この取付軸をウエイト本体に固定すべく前記雄ネジ部に螺合される止めナットを備えているのがよい。
また、各抑え部材は打球部の他側面に接当する抑え壁を備え、この抑え壁の厚さ方向両側の面が打球部の他側面に接当する接当面とされ、該抑え壁の厚さ方向に直交し且つ枢軸の軸心を通る仮想面から、一方の接当面までの距離と他方の接当面までの距離とで寸法が異なるように構成するのがよい。【０００７】  また、各取付軸の、抑え部材とウエイト本体との間に、位置決め部を軸心方向移動自在に支持し、この位置決め部とウエイト本体との間に、位置決め部を介して抑え部材を打球部に接当させる方向に付勢する付勢部材を介装するのがよい。
【発明の効果】
【０００８】  本発明によれば、ウエイトを各個人の使用中のラケットに着脱自在に取り付けて、負荷をかけた実技形式での卓球のトレーニングをすることができる。
【発明を実施するための最良の形態】
【０００９】  以下、本発明の実施の形態を図面を参照して説明する。
図１〜図５において、１は卓球用のラケット２に着脱自在に取り付けて卓球のトレーニングをするためのウエイトである。
前記ラケット２は、ピンポン球を打つところである打球部３と、握るためのグリップ４とを備えている。
なお、以下、ラケット２の幅方向Ｘを左右方向ともいう。【００１０】  シェークハンドタイプのラケット２にあっては、打球部３は、木製又はカーボン製等のラケット本体５の打球部分（ブレード）の両面に必要に応じてラバー６を貼ってなり、ラケット２の両面が打球面とされ、一方の面がフォア面で、他方の面がバック面とされている（これに対しペングリップタイプのラケット２では、ラケット２の一方の面が打球面とされ、該打球面側にラバーが貼られる）。
グリップ４は、打球部３の基部側の左右方向Ｘ中央部に設けられ、ラケット本体５のグリップ部分の両面にグリップ本体７を貼り付けてなる。【００１１】  前記ウエイト１は、ラケット２の打球部３の一側面のグリップ４側に接当させて配置されるウエイト本体８と、打球部３の外周面３ａにグリップ４側から接当させることでウエイト１（ウエイト本体８）の位置決めをする位置決め部９と、打球部３の他側面に接当させることでウエイト本体８の打球部３からの離反を阻止する抑え部材１０と、ウエイト１の重さを調整するための調整用ウエイト１１と、前記位置決め部９及び抑え部材１０が取り付けられる取付軸１２と、この取付軸１２をウエイト本体８に固定すると共に該取付軸１２とで調整用ウエイト１１をウエイト本体８に取り付ける止めナット１３とを備えている。【００１２】  ウエイト本体８は、金属製のプレート等で形成され、左右一対の取付部１４と、これら取付部１４を連結する連結部１５とから構成され、ラケット幅方向Ｘに長く形成されている。
また、前記連結部１５のウエイト本体幅方向Ｚの一方の縁部は円弧状の縁部１５ａとされ、他方の縁部は直線状の縁部１５ｂとされている。
このウエイト本体８は、シェークハンドタイプのラケット２ではバック面に、ペングリップタイプでは打球面とは反対側の面に配置されると共に、図６に示すように、グリップ４近傍の、ラケット２を握る際にラケット使用者の指が触れる場所に配置され、そうすることにより、ラケット２を握ってトレーニングする際に、ウエイト本体８を使用者の指で抑えることができ、また、トレーニングの際にウエイト本体８が球を打つのに邪魔物になることがないという効果を奏する。【００１３】  また、ラケット２の先端側（グリップ４とは反対側）又はグリップ４にウエイトを付けるとすると、実技形式でのトレーニングでは非常に違和感があるが、本実施の形態のように、ラケット２をつかむ指の周辺にウエイト１を配置することにより、該問題を解決することができる。
なお、ウエイト本体８は、必要に応じて布、皮、コルクや樹脂等の被覆部材によって被覆してもよい。
また、ウエイト本体８は、打球部３のグリップ４近傍に配置したときに左右の各取付部１４が打球部３から左右方向Ｘ外方に少し突出する長さに形成され、この取付部１４の打球部３から突出する部分にネジ孔１６が厚さ方向に貫通状に形成されている。
このネジ孔１６はウエイト本体８の取付部１４のウエイト本体幅方向Ｚ中央部よりも一側寄り（本実施の形態では、連結部１５の直線状の縁部１５ｂ寄り）に形成されている。
また、ウエイト本体８の取付部１４の中心側には調整用ウエイト１１の位置決め用の係合孔１７が形成されている。【００１４】  前記位置決め部９、抑え部材１０、取付軸１２及び止めナット１３は左右一対備えられ、ウエイト本体８の左右両側（左右の取付部１４）に配置されている。
左右各取付軸１２は、軸心方向一端側に雄ネジ部１８が形成されていると共に、軸心方向他端側が雄ネジ部１８よりも小径の円柱状の支持部１９とされており、この支持部１９が打球部３の外周面３ａと対向するように、前記雄ネジ部１８がウエイト本体８のネジ孔１６に螺合されていて、各取付軸１２はラケット２の（打球部３の）厚さ方向Ｙの軸心を有すると共に、雄ネジ部１８をネジ孔１６に対して螺進・螺退させることにより取付軸１２がラケット厚さ方向Ｙに移動自在とされている。
また、各取付軸１２の雄ネジ部１８には、その先端側から止めナット１３が螺合されており、該止めナット１３を締め付けることにより、ウエイト本体８に対して取付軸１２を固定することができる。【００１５】  調整用ウエイト１１はウエイト本体８の取付部１４と略一致する形状に形成され、該調整用ウエイト１１には、取付軸１２の雄ネジ部１８が挿通可能な挿通孔２０が形成されていると共に、中心側には、ウエイト本体８の取付部１４の係合孔１７に嵌合する嵌合部２１が形成されている。
この嵌合部２１は、調整用ウエイト１１の一側面がわはウエイト本体８の係合孔１７に嵌合するように突出し、他側面がわは他の調整用ウエイト１１の位置決め部９の突出部分が嵌合するように凹まされている。
この調整用ウエイト１１は、ウエイト本体８の取付部１４と止めナット１３との間に配置され、取付軸１２の雄ネジ部１８を挿通孔２０に挿通させて該調整用ウエイト１１を取付部１４に重ね合わせて止めナット１３を締め付けることによりウエイト本体８に取り付けられる。
この調整用ウエイト１１は一枚だけではなく、複数枚重ねて取り付けることができ、また、ウエイト本体８の左右両側に取り付けることだけではなく、片側だけに取り付けること又は一側を他側よりも多く取り付けることもでき、微妙な重量調整をすることができる。
もちろん、必要でない場合は、取り付けなくてもかまわない。
また、調整用ウエイト１１をウエイト本体８の左右両側に取り付けるように構成することにより、調整用ウエイト１１及び止めナット１３がラケット２を握る際に邪魔物になることがない。【００１６】  左右各位置決め部９は、本実施の形態では、円柱状部材によって構成され、中心部に取付軸１２の支持部１９が挿通可能で且つ該支持部１９と略同径の挿通孔２２が形成されていて、取付軸１２の支持部１９に軸心方向移動自在に外嵌されており、ラケット２の打球部３の外周面３ａに対向状とされている。
図５（ａ）に示すように、この一対の位置決め部９の間隔Ｌは、シェークハンドタイプ又はペングリップタイプ等の市販されているすべてのラケット２の打球部３の幅（最大幅）Ｗよりも狭い間隔となるように設けられており、該左右の位置決め部９がラケット２の打球部３の外周面３ａに、グリップ４側から接当することにより、ウエイト本体８のラケット２に対する位置決めがされる。
また、位置決め部９は、ラケット２を握るのに支障がないように該握る部分からラケット幅方向Ｘにできるだけ離すのがよい。
ラケット２を振り回す際には、ウエイト本体８に相当な遠心力が作用するが、左右の位置決め部９がラケット２の打球部３の幅Ｗよりも狭い間隔Ｌに設定されて打球部３の外周面３ａにグリップ４側から接当しているので、ラケット２を振り回す際に、ウエイト本体８がラケット２先端側へと外れる惧れはない。【００１７】  左右の各抑え部材１０は、取付軸１２に取り付けられる部分である、長さ方向Ｄ基部側の被取付部２３と、打球部３に接当する部分である、長さ方向Ｄ先端側の抑え壁２４とを有する。
抑え部材１０の基部側の幅方向Ｅ中央部に、基端部から抑え部材１０の長さ方向Ｄ中央側に延びる切欠凹部２５が形成されることで、被取付部２３は一対設けられている。
この被取付部２３の間（切欠凹部２５内）に取付軸１２の支持部１９の先端側が挿入状とされており、これら抑え部材１０の両被取付部２３と、取付軸１２の支持部１９とを、取付軸１２の軸心に直交する方向の軸心を有する枢軸２６が抑え部材１０の幅方向Ｅに貫通しており、この枢軸２６によって抑え部材１０が取付軸１２に回動自在に取り付けられている。【００１８】  この抑え部材１０を枢軸２６回りに回動させることにより、該抑え部材１０は、図４に実線で示すように、打球部３の表面に接当する抑え姿勢と、図４に仮想線で示すように、打球部３の表面上から退避する退避姿勢とに姿勢変更可能とされていると共に、該抑え部材１０は取付軸１２と軸心回りに一体回動自在とされている。
また、抑え部材１０の（各被取付部２３の）長さ方向Ｄ基端側には、厚さ方向Ｆ外方に膨出する接点部２７が厚さ方向Ｆ両側の面に設けられており、抑え部材１０の（各被取付部２３の）長さ方向Ｄ基端側の面２８は平坦な面に形成されている。
一方、位置決め部９のウエイト本体８と対向する側には、取付軸１２の軸心を中心とする円形穴状のバネ受け座２９が形成されており、このバネ受け座２９と雄ネジ部１８の端部との間に、取付軸１２の支持部１９に套嵌されたコイルバネ（付勢部材）３０が圧縮状に介装されている。【００１９】  したがって、抑え部材１０を抑え姿勢にした状態において、コイルバネ３０の付勢力によって位置決め部９が接点部２７を押圧することにより、抑え部材１０の抑え壁２４が打球部３に押しつけられ、これによって抑え部材１０が抑え姿勢に保持されると共にウエイト本体８の打球部３からの離反が阻止される。
また、抑え部材１０をこの抑え姿勢から引き起こして退避姿勢にすると、抑え部材１０の基端面２８が位置決め部９に面接当することにより、抑え部材１０が退避姿勢に保持され、この退避姿勢では、抑え部材１０は取付軸１２の軸心方向に沿う方向を向いていて、該抑え部材１０は、ラケット２の打球部３をその厚さ方向Ｙに投影する投影域（打球部３の表面に垂直な方向の、打球部３の垂直投影域）の外側に位置しており、ウエイト本体８の打球部３からの離反が可能とされている。
また、抑え部材１０を姿勢変更する途中では、位置決め部９がコイルバネ３０の付勢力に抗して取付軸１２の軸心方向に若干移動することにより、抑え部材１０の姿勢変更が許容される。【００２０】  卓球用のラバー６はその性質上表面は滑らないので、ウエイト本体８を打球部３の表面（ラバー６の表面）に沿って移動させて着脱させるのは困難であるが、本実施の形態では、抑え部材１０は、退避姿勢ではラケット２の打球部３の厚さ方向Ｙの投影域の外側に退避するので、ウエイト本体８を打球部３の表面から垂直方向に離反でき、ウエイト１の着脱が容易に行える。
また、抑え部材１０の先端側には、抑え姿勢から抑え部材１０を引き起こす際に爪等を引っかけるための引掛け部３１が設けられている。
また、図４に示すように、抑え部材１０は、抑え壁２４の一側の接当面（これを第１接当面という）３２を打球部３の表面に接当させた状態から該抑え部材１０を引き起こして退避姿勢とした後、該抑え部材１０と共に取付軸１２を１８０°回転させることにより、抑え壁２４の他側の接当面（これを第２接当面という）３３を打球部３の表面に接当させることが可能であり、抑え壁２４の厚さ方向Ｆ両側の面が打球部３に接当する接当面３２，３３とされている。【００２１】  また、この抑え壁２４の第１接当面３２は被取付部２３の表面よりも厚さ方向Ｆに凹んでいるのに対し、第２接当面３３は被取付部２３の表面よりも厚さ方向Ｆに突出しており、抑え壁２４の厚さ方向Ｆに直交し且つ枢軸２６の軸心を通る仮想面Ａから、一方の接当面３２又は３３までの距離と他方の接当面３３又は３２までの距離とで寸法が異なっている。
本実施の形態では、前記仮想面Ａから第１接当面３２までの距離よりも、前記仮想面Ａから第２接当面３３までの距離の方が大であり、前記仮想面Ａから第１接当面３２までの距離は零とされている。
したがって、抑え部材１０を抑え姿勢にしたときの、抑え壁２４の接当面３２，３３とウエイト本体８との間隔は、第１接当面３２を打球部３に接当させる状態としたときの間隔Ｈ１に対し、第２接当面３３を打球部３に接当させる状態としたときの間隔Ｈ２の方が小とされている。【００２２】  ところで、卓球用のラケット２の打球部３の厚みは、ブレードとラバー６との和であり、薄いもので約５ｍｍ程度、厚いものでは約１４ｍｍ程度と厚みが大幅に異なるが、抑え部材１０の接当面を第１接当面３２か第２接当面３３かのいずれかを選択することで、ラケット２の打球部３の厚みに対する抑え部材１０の調整を容易に行うことができる。
すなわち、比較的厚みの厚い打球部３のラケット２にウエイト１を取り付ける場合は第１接当面３２を選択し、比較的厚みの薄い打球部３のラケット２の場合は、第２接当面３３を選択する。
また、雄ネジ部１８を螺進・螺退させて取付軸１２を軸心方向に移動させることにより、抑え部材１０の、打球部３の厚みに対する微調整をすることができる。【００２３】  前記構成の実施形態のウエイト１をラケット２に取り付けるには、抑え部材１０を退避姿勢とした状態で、位置決め部９をラケット２の打球部３の外周面３ａにグリップ４側から接当させると共にウエイト本体８を打球部３の一側面に接当させる。
次いで、止めナット１３を緩め又は外した状態で、打球部３の厚さに応じて抑え部材１０の接当面３２，３３を決めると共に、抑え部材１０を取付軸１２の軸心回りに回動させて（取付軸１２の雄ネジ部１８を螺進又は螺退させて）抑え部材１０を抑え姿勢としたときに抑え壁２４の接当面３２，３３がラケット２の打球部３の表面と略平行となるように調整し、且つ抑え部材１０を抑え姿勢としたときの該抑え部材１０の向きも決める。
次いで、必要に応じて調整用ウエイト１１を追加し、止めナット１３を締め付けて取付軸１２を固定し、抑え部材１０を抑え姿勢とすることでウエイト１がラケット２に取り付けられる。【００２４】  この調整は１つのラケット２については最初の一回だけでよく、以後のウエイト１の着脱操作は、抑え部材１０を倒すか又は起こすだけであり、ウエイト１の着脱が容易に行える。
なお、本実施の形態では、止めナット１３の締付・弛緩を手で行えるように該止めナット１３に蝶ナットが採用されているが、六角ナットを使用してもよい。
この場合、止めナット１３を締付・弛緩するのに工具が必要であるが、ウエイト１の付け外しは抑え部材１０の枢軸２６回りの回動操作で行うので、使用するラケット２の打球部３の厚さに対応させて抑え部材１０の位置調整を一回しておくと、後は、止めナット１３を締付・弛緩する必要はない。【００２５】  また、ウエイト１を打球部３の幅Ｗの狭いラケット２に取り付ける場合、位置決め部９がラケット２の先端側に寄ってしまうが、このような場合、図５（ｂ）に示すように、ウエイト本体８の連結部１５の円弧状の縁部１５ａ側がグリップ４側を向くように取り付ける。
そうすると、取付軸１２はウエイト本体８の幅方向Ｚ中央部よりも直線状縁部１５ｂ寄りに設けられているので、ウエイト１の重心位置をグリップ４側に寄せることができる。【００２６】  なお、本発明は前記実施の形態に限定されることはなく、種種設計変更可能である。
例えば、抑え壁２４の一方の面だけを打球部３に接当させる接当面としてもよく、また、前記仮想面Ａから抑え壁２４の一方の接当面までの距離と、仮想面Ａから抑え壁２４の他方の接当面までの距離とを同じ寸法にしてもよい。
【図面の簡単な説明】
【００２７】
【図１】（ａ）はウエイトをラケットに取り付けた状態の正面図、（ｂ）はウエイトをラケットに取り付けた状態の背面図である。
【図２】（ａ）はウエイトをラケットに取り付けた状態の側面図、（ｂ）はウエイト本体の正面図、（ｃ）は調整用ウエイトの正面図である。
【図３】（ａ）は第１接当面を接当させた状態のウエイト取付部分の正面図、（ｂ）は第２接当面を接当させた状態のウエイト取付部分の正面図である。
【図４】（ａ）は第１接当面を接当させた状態のウエイト取付部分の断面図、（ｂ）は第２接当面を接当させた状態のウエイト取付部分の断面図である。
【図５】（ａ）は抑え部材を省略した、ウエイトをラケットに取り付けた状態の正面図、（ｂ）はウエイトの他の取付例を示す正面図である。
【図６】（ａ）はウエイトをシェークハンドタイプのラケットに取り付けて握った状態を示す斜視図、（ｂ）はウエイトをペンホルダータイプのラケットに取り付けて握った状態を示す斜視図である。
【符号の説明】
【００２８】  ２    ラケット
３    打球部
３ａ  打球部の外周面
４    グリップ
８    ウエイト本体
９    位置決め部
１０    抑え部材
１２    取付軸
１３    止めナット
１６    ネジ孔
１８    雄ネジ部
２４    抑え壁
２６    枢軸
３０    コイルバネ（付勢部材）
３２    第１接当面
３３    第２接当面
Ａ    仮想面
Ｗ    打球部の幅
Ｌ    位置決め部の間隔
Ｅ    抑え部材の厚さ方向
Ｘ    ラケット幅方向
Ｙ    ラケット厚さ方向
【図１】
2006320665.tif 000003
【図２】
2006320665.tif 000004
【図３】
2006320665.tif 000005
【図４】
2006320665.tif 000006
【図５】
2006320665.tif 000007
【図６】
2006320665.tif 000008